(57)【要約】【課題】水分に対して強い安価な積層体パネルを提供し得るようにする。【解決手段】不燃性無気質板状体１の表面に少なくともその端面をも被覆可能な表面金属板２を積層すると共に、不燃性無気質板状体１の裏面に裏面金属板３を積層してなる積層体パネル４であって、裏面金属板３に水分蒸発用穴部１１を形成するようにしている。【選択図】図１
2007255035.tif 000002
【特許請求の範囲】
【請求項１】
不燃性無気質板状体の表面に少なくともその端面をも被覆可能な表面金属板を積層すると共に、不燃性無気質板状体の裏面に裏面金属板を積層してなる積層体パネルにおいて、
前記裏面金属板に水分蒸発用穴部を形成したことを特徴とする積層体パネル。
【請求項２】
前記水分蒸発用穴部が、裏面金属板における防水ラインの近傍で且つ防水ラインよりも内側の位置に形成されたことを特徴とする請求項１記載の積層体パネル。
【請求項３】
請求項１または２に記載の積層体パネルの水分蒸発用穴部よりも外側の部分を、防水手段を介して、建物構造体に取付けたことを特徴とする積層体パネルの取付構造。
【請求項４】
請求項１または２に記載の積層体パネルが、請求項３に記載の取付構造によって建物構造体に取付けられて成ることを特徴とする建物。
【発明の詳細な説明】
【技術分野】
【０００１】
この発明は、積層体パネルとその取付構造および建物に関するものである。
【背景技術】
【０００２】
石膏ボードなどの不燃性無気質板状体は、耐火性、防火性、断熱性、防音性などの特性に優れており、しかも、安価であることから、建物の内壁材や天井材などとして広く使用されている。
【０００３】
しかし、石膏ボードなどの不燃性無気質板状体は、単体としての強度が充分ではないため、不燃性無気質板状体の両面に鋼板を積層して補強することにより、外壁材への使用にも耐え得るようにした積層体パネルが開発されている（例えば、特許文献１参照）。
【特許文献１】特開２００５−１３３４２８号公報
【発明の開示】
【発明が解決しようとする課題】
【０００４】
しかしながら、上記したような積層体パネルでは、使用されている石膏ボードなどの不燃性無気質板状体が、水分に対して余り強くないため、何らかの対策が必要となる。
【課題を解決するための手段】
【０００５】
上記課題を解決するために、請求項１に記載された発明では、不燃性無気質板状体の表面に少なくともその端面をも被覆可能な表面金属板を積層すると共に、不燃性無気質板状体の裏面に裏面金属板を積層してなる積層体パネルにおいて、前記裏面金属板に水分蒸発用穴部を形成したことを特徴としている。
【０００６】
請求項２に記載された発明では、前記水分蒸発用穴部が、裏面金属板における防水ラインの近傍で且つ防水ラインよりも内側の位置に形成された請求項１記載の積層体パネルを特徴としている。
【０００７】
請求項３に記載された発明では、請求項１または２に記載の積層体パネルの水分蒸発用穴部よりも外側の部分を、防水手段を介して、建物構造体に取付けた積層体パネルの取付構造を特徴としている。
【０００８】
請求項４に記載された発明では、請求項１または２に記載の積層体パネルが、請求項３に記載の取付構造によって建物構造体に取付けられて成る建物を特徴としている。
【発明の効果】
【０００９】
請求項１の発明によれば、不燃性無気質板状体の表面に少なくともその端面をも被覆可能な表面金属板を積層すると共に、不燃性無気質板状体の裏面に裏面金属板を積層してなる積層体パネルにおいて、前記裏面金属板に水分蒸発用穴部を形成したことにより、不燃性無気質板状体の内部へ浸入した水分は、水分蒸発用穴部から蒸発して行くことができるので、不燃性無気質板状体を自然に乾燥した状態へ戻すことが可能となる。しかも、水分蒸発用穴部を形成するだけの構造なので、ほとんどコストが掛らない。これに対し、不燃性無気質板状体を完全防水にすることが考えられるが、この場合には、構造上、かなりのコストが必要となることが予想されるため、実用化が困難である。
【００１０】
請求項２の発明によれば、水分蒸発用穴部を、防水ラインよりも内側の位置に形成したことにより、水分蒸発用穴部から水が侵入してくるのを防止することができる。且つ、水分蒸発用穴部を、防水ラインの近傍に形成したことにより、防水ラインにより近い位置で早期に水分を蒸発させることができる。これにより、浸入してきた水分が不燃性無気質板状体の内部に拡散されて篭ってしまう前に水分蒸発用穴部から蒸発させることができて、効率が良い。
【００１１】
請求項３の発明によれば、請求項１または２に記載の積層体パネルの水分蒸発用穴部よりも外側の部分を、防水手段を介して、建物構造体に取付けることにより、積層体パネルが持つ水分に強いという機能を最大限に活かした取付けを行うことが可能となる。
【００１２】
請求項４の発明によれば、請求項１または２に記載の積層体パネルが、請求項３に記載の取付構造によって建物構造体に取付けられることにより、耐火性、防火性、断熱性、防音性などの特性に優れ、安価で、しかも、水分に強い建物を得ることができる。
【発明を実施するための最良の形態】
【００１３】
水分に対して強い安価な積層体パネルを提供し得るようにするという目的を、裏面金属板に水分蒸発用穴部を形成する、という手段で実現した。
【実施例】
【００１４】
以下、本発明を具体化した実施例について、図示例と共に説明する。
【００１５】
図１〜図４は、この発明の実施例を示すものである。
【００１６】
まず、構成について説明すると、不燃性無気質板状体１の表面に少なくともその端面をも被覆可能な表面金属板２を積層すると共に、不燃性無気質板状体１の裏面に裏面金属板３を積層して積層体パネル４を構成する。
【００１７】
ここで、不燃性無気質板状体１には、石膏ボード、珪酸カルシウム板、岩綿保温板、硬質木片セメント板、軽量気泡コンクリート板などがある。特に、石膏ボードが好適である。この不燃性無気質板状体１の厚味は、任意であるが、１０ｍｍ〜２０ｍｍとするのが好ましく、特に、１２ｍｍ〜１５ｍｍが好適である。
【００１８】
表面金属板２および裏面金属板３には、鋼板、ステンレス板、アルミニウム板、これらの合金板などがあり、耐食性や加工性などを考慮して適宜選択される。特に、耐熱性に優れた鋼板が好適である。
【００１９】
表面金属板２および裏面金属板３の厚味は、特に制限はないが、加熱時の破損や耐火性を考慮して０．０５ｍｍ以上とするのが好ましい。また、厚くなると、機械的強度が増して好ましい反面、重量が増加して作業性や加工性が悪化するので、０．１０ｍｍ〜２．０ｍｍの範囲とするのが好適である。
【００２０】
表面金属板２および裏面金属板３には、耐久性を向上するため、メッキや塗装などの表面処理を施しても良い。メッキは、通常のもので良いが、例えば、亜鉛メッキ、アルミニウムメッキ、これらの合金メッキなどが好適である。また、塗装には、アクリル樹脂、ポリエステル樹脂などの有機系樹脂を主成分とする塗料を用いるのが好適である。
【００２１】
不燃性無気質板状体１に対する表面金属板２および裏面金属板３の積層には、接着剤を用いるのが好ましい。接着剤の種類には、特に制限はないが、水系接着剤やエマルジョン系接着剤などが公害の発生が少なく、しかも、安価で性能が良いので好ましい。特に、酢酸ビニル系接着剤、アクリル系接着剤が好適である。
【００２２】
そして、上記表面金属板２の４つの辺部には、不燃性無気質板状体１の端面を被覆可能な端面被覆部６と、裏面金属板３の縁部に対して所定の幅寸法で重複する裏面重複部７とが形成されている。この端面被覆部６と裏面重複部７とは、不燃性無気質板状体１に対する表面金属板２および裏面金属板３の接着後に、曲げ加工される。なお、裏面重複部７は、互いに干渉しないように、両端部が斜めにカットされている。
【００２３】
また、不燃性無気質板状体１の端面と端面被覆部６との間、および、裏面金属板３の縁部と裏面重複部７との間には、少なくとも下辺部と両側辺部との３つの辺部に亘って、断面がほぼＬ字状をした補強プレート部材９が介在されている。なお、補強プレート部材９は、上辺部に対して設けることもできる。
【００２４】
そして、以上のような基本構成に対し、この実施例のものでは、積層体パネル４を構成している裏面金属板３に水分蒸発用穴部１１を形成する。
【００２５】
なお、この水分蒸発用穴部１１は、予め水分蒸発用穴部１１を穿設しておいた裏面金属板３を不燃性無気質板状体１の裏面に貼付けるようにして設けても、または、裏面金属板３を不燃性無気質板状体１の裏面に貼付けた後で不燃性無気質板状体１にドリルなどで水分蒸発用穴部１１を穿設することによって設けても良い。
【００２６】
そして、水分蒸発用穴部１１が、裏面金属板３における防水ライン１２，１３の近傍で且つ防水ライン１２，１３よりも内側の位置に形成されるようにする。なお、防水ライン１２，１３が多重に設けられている場合には、最も内側となる防水ライン１２を基準とするのが好ましい。なお、防水ライン１２，１３については、後述する。
【００２７】
また、水分蒸発用穴部１１を設ける位置としては、上記の他にも、積層体パネル４の四隅部の近傍や、後述する建物構造体２１に対する固定用ビス穴の近傍や、図４に示すような換気穴などの貫通穴１５の近傍など、水分の侵入が発生する可能性が高い場所の近傍などが考えられる。
【００２８】
特に、水分蒸発用穴部１１は、上記した、防水ライン１２，１３、積層体パネル４の四隅部、建物構造体２１に対する固定用ビス穴、換気穴などの貫通穴１５などの水分の侵入が発生する可能性が高い場所から、不燃性無気質板状体１の厚味の十倍以内までの距離の範囲内に形成するようにする。
【００２９】
水分蒸発用穴部１１の形状は、任意であるが、加工上は、丸穴とするのが有利である。
【００３０】
水分蒸発用穴部１１の大きさおよび数は、積層体パネル４のハンドリング上および取付上、必要な強度を確保できれば制限はない。目安としては、水分蒸発用穴部１１の外径は不燃性無気質板状体１の厚味の十倍以下とする。また、積層体パネル４の幅方向または高さ方向への設置数は、水分蒸発用穴部１１の外径に設置数を掛けた寸法が、積層体パネル４の幅方向または高さ方向のそれぞれの寸法の５０％以下となるようにする。
【００３１】
このような積層体パネル４の水分蒸発用穴部１１よりも外側の部分を、防水手段１７，１８を介して、建物構造体２１に取付ける。
【００３２】
そして、このような取付構造によって建物構造体２１に積層体パネル４を取付けることにより、建物Ａを構成する。
【００３３】
ここで、建物Ａは、ユニット建物とすることができる。このユニット建物は、予め工場で製造された複数の建物ユニットａを建築現場で組合せて構築されるものである。このような建物ユニットａには、ほぼ直方体状をした標準ユニットと、それ以外の形状をした異形ユニットとが存在する。また、建物ユニットａには、鉄骨系ユニットと木質系ユニットとが存在する。
【００３４】
例えば、鉄骨系ユニットで且つ標準ユニットの場合、ほぼ垂直な４本のユニット柱の下端間に、ほぼ水平な４本の床梁２２（図２参照）を矩形状に連結すると共に、上記４本のユニット柱の上端間に、ほぼ水平な４本の天井梁２３（図２参照）を矩形状に連結してなるボックスラーメン構造のユニットフレームが建物構造体２１となる。そして、このユニットフレームにおける、床梁２２と天井梁２３との間にスタッド２４（図３参照）などの取付用部材を掛渡す。このスタッド２４も、広い意味での建物構造体２１と言うことができる。そして、このスタッド２４を利用して建物構造体２１に積層体パネル４を取付ける。
【００３５】
例えば、このような建物構造体２１に対し、積層体パネル４は、リベット２５などの固定具を用いて固定される。このリベット２５は、積層体パネル４の補強プレート部材９が設けられている部分に取付けられる。なお、リベット２５の詳細については省略する。
【００３６】
そして、スタッド２４に積層体パネル４を取付けた状態では、図２に示すように、積層体パネル４は、床梁２２や天井梁２３から若干浮いた状態となる。そこで、積層体パネル４と床梁２２との間に、例えば、防水手段１７としての防水透湿テープ３１を貼付ける。この防水透湿テープ３１は、積層体パネル４における表面金属板２の裏面重複部７と床梁２２との対向する面との間に折返した状態で貼付けられる。この場合、この折返された防水透湿テープ３１の幅の範囲内が最も内側の防水ライン１２となる。なお、この防水ライン１２は、１重とされている。
【００３７】
また、積層体パネル４と天井梁２３との間に、例えば、防水手段１７として防水透湿テープ３２を貼付ける。この防水透湿テープ３２は、積層体パネル４における表面金属板２の端面被覆部６と天井梁２３の上面との間に段差状に貼付けられる。この場合、表面金属板２における端面被覆部６の位置よりも上側の部分が最も内側の防水ライン１２（２次防水ライン）となる。更に、この防水ライン１２よりも外側に防水手段１８としての雨シート３３を設ける。この雨シート３３は、上方から表面金属板２表面の上縁部分にかかるように垂らされたものである。この雨シート３３の下縁部よりも上側の部分が外側の防水ライン１３（１次防水ライン）となる。
【００３８】
更に、図３に示すように、積層体パネル４とスタッド２４との間に、例えば、防水手段１７としてソフトロンテープ３４を貼付ける。このソフトロンテープ３４は、スタッド２４の表面に貼付けられ、積層体パネル４における表面金属板２の裏面重複部７に圧接されるものである。この場合、ソフトロンテープ３４の内端部または裏面重複部７の内端部が、最も内側の防水ライン１２となる。更に、この防水ライン１２よりも外側に防水手段１８としてのガスケット３５を設ける。このガスケット３５は、隣接する積層体パネル４の端面間の間隙内へ嵌入されるものである。このガスケット３５の嵌入部分が外側の防水ライン１３（１次防水ライン）となる。
【００３９】
次に、この実施例の作用について説明する。
【００４０】
不燃性無気質板状体１の表面に少なくともその端面をも被覆可能な表面金属板２を積層すると共に、不燃性無気質板状体１の裏面に裏面金属板３を積層してなる積層体パネル４に対し、裏面金属板３に水分蒸発用穴部１１を形成したことにより、不燃性無気質板状体１の内部へ浸入した水分は、水分蒸発用穴部１１から蒸発して行くことができるので、不燃性無気質板状体１を自然に乾燥した状態へ戻すことが可能となる。しかも、水分蒸発用穴部１１を形成するだけの構造なので、ほとんどコストが掛らない。これに対し、不燃性無気質板状体１を完全防水にすることが考えられるが、この場合には、構造上、かなりのコストが必要となることが予想されるため、実用化が困難である。
【００４１】
この際、水分蒸発用穴部１１を、防水ライン１２，１３（特に、最も内側の防水ライン１２）よりも内側の位置に形成したことにより、水分蒸発用穴部１１から水が浸入してくるのを防止することができる。
【００４２】
且つ、水分蒸発用穴部１１を、防水ライン１２，１３（特に、最も内側の防水ライン１２）の近傍に形成したことにより、防水ライン１２，１３により近い位置で早期に水分を蒸発させることができる。これにより、浸入してきた水分が不燃性無気質板状体１の内部に拡散されて篭ってしまう前に水分蒸発用穴部１１から蒸発させることができて、効率が良い。
【００４３】
特に、水分蒸発用穴部１１は、防水ライン１２，１３、積層体パネル４の四隅部、建物構造体２１に対する固定用ビス穴、換気穴などの貫通穴１５などの水分の侵入が発生する可能性が高い場所から、不燃性無気質板状体１の厚味の十倍以内までの距離の範囲内に形成することにより、効率良く水分を蒸発させることができる。
【００４４】
そして、上記積層体パネル４の水分蒸発用穴部１１よりも外側の部分を、防水手段１７，１８を介して、建物構造体２１に取付けることにより、積層体パネル４が持つ水分に強いという機能を最大限に活かした取付けを行うことが可能となる。
【００４５】
更に、上記取付構造によって建物構造体２１に上記積層体パネル４が取付けられることにより、耐火性、防火性、断熱性、防音性などの特性に優れ、安価で、しかも、水分に強い建物Ａを得ることができる。
【００４６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００４７】
【図１】本発明の実施例にかかる積層体パネルの背面図である。
【図２】図１の積層体パネルを建物構造体に取付けた状態を示す縦断面図である。
【図３】図１の積層体パネルを建物構造体に取付けた状態を示す横断面図である。
【図４】換気穴の周囲に水分蒸発用穴部を形成した状態を説明する部分拡大図である。
【符号の説明】
【００４８】
１    不燃性無気質板状体
２    表面金属板
３    裏面金属板
４    積層体パネル
１１  水分蒸発用穴部
１２  防水ライン
１７  防水手段
２１  建物構造体
Ａ    建物
【図１】
2007255035.tif 000003
【図２】
2007255035.tif 000004
【図３】
2007255035.tif 000005
【図４】
2007255035.tif 000006